(57)【要約】  着用者の肌に吸水シートが密着し、吸収性を向上できる使い捨ておむつを提供する。使い捨ておむつ（10）は、前胴回り域及び後胴回り域の一方である第１胴回り域に配置された吸水シート（70）と、サイド接合部（60）と、を有する。第１胴回り域は、幅方向において第１胴回り域の一方の外側縁から他方の外側縁まで延び、長手方向において吸水シートの内端縁から吸水シートの外端縁までに延びる第１領域（Ｒ１）を有する。前胴回り域及び後胴回り域の他方である第２胴回り域は、第１領域と幅方向において連なり、かつ幅方向において第２胴回り域の一方の外側縁から他方の外側縁まで延びる第２領域（Ｒ２）を有する。第１領域の幅方向の収縮力は、第２領域の幅方向の収縮力よりも低い。
2019093509.tif 000002
【特許請求の範囲】
【請求項１】
互いに直交する長手方向及び幅方向と、
前胴回り域、後胴回り域、及び前記前胴回り域及び前記後胴回り域との間に配置された股下域と、
少なくとも前記股下域に配置された吸収性本体と、
前記前胴回り域及び前記後胴回り域の一方である第１胴回り域に配置された吸水シートと、
前記吸水シートよりも非肌対向面側に配置された液不透過性のバックシートと、
前記前胴回り域の外側部と前記後胴回り域の外側部を接合するサイド接合部と、を有する使い捨ておむつであって、
前記第１胴回り域は、前記幅方向において前記第１胴回り域の一方の外側縁から他方の外側縁まで延び、前記長手方向において前記吸水シートの内端縁から前記吸水シートの外端縁までに延びる第１領域を有し、
前記前胴回り域及び前記後胴回り域の他方である第２胴回り域は、前記第１領域と前記幅方向において連なり、かつ前記幅方向において前記第２胴回り域の一方の外側縁から他方の外側縁まで延びる第２領域を有し、
前記第１領域の前記幅方向の収縮力は、前記第２領域の前記幅方向の収縮力よりも低い、使い捨ておむつ。
【請求項２】
互いに直交する長手方向及び幅方向と、
前胴回り域、後胴回り域、及び前記前胴回り域及び前記後胴回り域との間に配置された股下域と、
少なくとも前記股下域に配置された吸収性本体と、
前記前胴回り域及び前記後胴回り域の一方である第１胴回り域に配置された吸水シートと、
前記吸水シートよりも非肌対向面側に配置された液不透過性のバックシートと、
前記前胴回り域の外側部と前記後胴回り域の外側部を接合するサイド接合部と、を有する使い捨ておむつであって、
前記前胴回り域及び前記後胴回り域の他方である第２胴回り域と前記第１胴回り域が前記幅方向に連続した前記使い捨ておむつを、伸張状態に対して７７％となるように筒体に装着した状態を装着状態とした場合に、
前記装着状態における前記第２胴回り域の前記サイド接合部間の長さに対する前記第１胴回り域の前記サイド接合部間の長さの比率は、前記伸張状態における前記第２胴回り域の前記サイド接合部間の長さに対する前記第１胴回り域の前記サイド接合部間の長さの比率よりも高い、使い捨ておむつ。
【請求項３】
前記第１胴回り域は、前記後胴回り域である、請求項１又は請求項２に記載の使い捨ておむつ。
【請求項４】
前記使い捨ておむつを廃棄するためのテープ部材を有し、
厚さ方向の平面視にて、前記テープ部材は、前記吸水シートの少なくとも一部に重なって配置されている、請求項３に記載の使い捨ておむつ。
【請求項５】
前記長手方向において、前記テープ部材の内端縁は、前記吸水シートの前記長手方向の中心よりも内側に配置されている、請求項４に記載の使い捨ておむつ。
【請求項６】
前記長手方向において、前記テープ部材の内端縁は、前記吸水シートの前記長手方向の内端縁よりも内側に配置されている、請求項５に記載の使い捨ておむつ。
【請求項７】
厚み方向の平面視にて、前記テープ部材は、前記後胴回り域の前記幅方向の中心に重なる、請求項４から請求項６のいずれか１項に記載の使い捨ておむつ。
【請求項８】
前記吸水シートの前記長手方向の外端縁から前記長手方向の外側に延びる外側領域と、前記吸水シートの前記長手方向の内端縁から前記長手方向の内側に延びる内側領域と、を有し、
前記吸水シートが配置された領域の前記幅方向の収縮力は、前記外側領域と前記内側領域の少なくとも一方の前記幅方向の収縮力よりも高い、請求項１から請求項７のいずれか１項に記載の使い捨ておむつ。
【請求項９】
前記吸水シートが配置された領域の前記幅方向の収縮力は、前記外側領域の前記幅方向の収縮力及び前記内側領域の前記幅方向の収縮力よりも高い、請求項８に記載の使い捨ておむつ。
【請求項１０】
前記第１胴回り域の前記幅方向の収縮力は、前記第２胴回り域の前記幅方向の収縮力よりも低い、請求項１から請求項９のいずれか一項に記載の使い捨ておむつ。
【請求項１１】
前記長手方向において、前記第１胴回り域の外端縁と前記吸収性本体の外端縁との長さは、前記第２胴回り域の外端縁と前記吸収性本体の外端縁との長さよりも長い、請求項１から請求項１０のいずれか１項に記載の使い捨ておむつ。
【発明の詳細な説明】
【技術分野】
【０００１】
本発明は、吸水シートを有する使い捨ておむつに関する。
【背景技術】
【０００２】
吸収コアを有する使い捨ておむつであって、吸収コアとは別の吸水シートを有する使い捨ておむつが知られている。吸水シートは、胴回り域において着用者の肌に触れる肌対向面側に配置されている。よって、吸水シートは、装着された状態で肌に触れ、汗を吸収する。
【先行技術文献】
【特許文献】
【０００３】
【特許文献１】特開２００９−１４８５３１号
【発明の概要】
【０００４】
吸水シートは、肌に触れることによって汗を吸収する。よって、吸水シートが肌と離れていると、吸水シートによる体液の吸収性が低下し、吸水シートの機能を十分発揮できないことがある。
【０００５】
よって、着用者の肌に吸水シートが密着し、吸収性を向上できる使い捨ておむつが望まれる。
【０００６】
一態様に係る使い捨ておむつは、互いに直交する長手方向及び幅方向と、前胴回り域、後胴回り域、及び前記前胴回り域及び前記後胴回り域との間に配置された股下域と、少なくとも前記股下域に配置された吸収性本体と、前記前胴回り域及び前記後胴回り域の一方である第１胴回り域に配置された吸水シートと、前記吸水シートよりも非肌対向面側に配置される液不透過性のバックシートと、前記前胴回り域の外縁部と前記後胴回り域の外側部を接合するサイド接合部と、を有する使い捨ておむつであって、前記第１胴回り域は、前記幅方向において前記第１胴回り域の一方の外側縁から他方の外側縁まで延び、前記長手方向において前記吸水シートの内端縁から前記吸水シートの外端縁までに延びる第１領域を有し、前記前胴回り域及び前記後胴回り域の他方である第２胴回り域は、前記第１領域と前記幅方向において連なり、かつ前記幅方向において前記第２胴回り域の一方の外側縁から他方の外側縁まで延びる第２領域を有し、前記第１領域の前記幅方向の収縮力は、前記第２領域の前記幅方向の収縮力よりも低い。
【０００７】
他の態様に係る使い捨ておむつは、互いに直交する長手方向及び幅方向と、前胴回り域、後胴回り域、及び前記前胴回り域及び前記後胴回り域との間に配置された股下域と、少なくとも前記股下域に配置された吸収性本体と、前記前胴回り域及び前記後胴回り域の一方である第１胴回り域に配置された吸水シートと、前記吸水シートよりも非肌対向面側に配置された液不透過性のバックシートと、前記前胴回り域の外側部と前記後胴回り域の外側部を接合するサイド接合部と、を有する使い捨ておむつであって、前記前胴回り域及び前記後胴回り域の他方である第２胴回り域と前記第１胴回り域が前記幅方向に連続した前記使い捨ておむつを、伸張状態に対して７７％となるように筒体に装着した状態を装着状態とした場合に、前記装着状態における前記第２胴回り域の前記サイド接合部間の長さに対する前記第１胴回り域の前記サイド接合部間の長さの比率は、前記伸張状態における前記第２胴回り域の前記サイド接合部間の長さに対する前記第１胴回り域の前記サイド接合部間の長さの比率よりも高い。
【図面の簡単な説明】
【０００８】
【図１】実施形態に係る使い捨ておむつの正面図である。
【図２】図１に示す使い捨ておむつを肌対向面側から見た平面図である。
【図３】図１に示す使い捨ておむつを非肌対向面側から見た平面図である。
【図４】図２に示すＡ−Ａ線に沿った断面図である。
【図５】図２に示すＢ−Ｂ線に沿った断面図である。
【図６】図１に示すＣ−Ｃ線に沿った断面図である。
【図７】図１に示すＤ−Ｄ線に沿った断面図である。
【図８】図１に示すＥ−Ｅ線に沿った断面図である。
【図９】図１に示す使い捨ておむつを筒体に装着した状態を示す図である。
【発明を実施するための形態】
【０００９】
（１）実施形態の概要
本明細書及び添付図面の記載により、少なくとも以下の事項が明らかとなる。
一態様に係る使い捨ておむつは、互いに直交する長手方向及び幅方向と、前胴回り域、後胴回り域、及び前記前胴回り域及び前記後胴回り域との間に配置された股下域と、少なくとも前記股下域に配置された吸収性本体と、前記前胴回り域及び前記後胴回り域の一方である第１胴回り域に配置された吸水シートと、前記吸水シートよりも非肌対向面側に配置された液不透過性のバックシートと、前記前胴回り域の外側部と前記後胴回り域の外側部を接合するサイド接合部と、を有する使い捨ておむつであって、前記第１胴回り域は、前記幅方向において前記第１胴回り域の一方の外側縁から他方の外側縁まで延び、前記長手方向において前記吸水シートの内端縁から前記吸水シートの外縁までに延びる第１領域を有し、前記前胴回り域及び前記後胴回り域の他方である第２胴回り域は、前記第１領域と前記幅方向において連なり、かつ前記幅方向において前記第２胴回り域の一方の外側縁から他方の外側縁まで延びる第２領域を有し、前記第１領域の前記幅方向の収縮力は、前記第２領域の前記幅方向の収縮力よりも低い。
【００１０】
本態様によれば、第１領域及び第２領域が収縮すると、第１領域が第２領域側に引っ張られる。第１領域の皺が少なくなり、第１領域が肌に密着し易くなる。よって、吸水シートが肌に密着し、汗等の体液の吸収性を向上できる。
【００１１】
他の態様によれば、互いに直交する長手方向及び幅方向と、前胴回り域、後胴回り域、及び前記前胴回り域及び前記後胴回り域との間に配置された股下域と、少なくとも前記股下域に配置された吸収性本体と、前記前胴回り域及び前記後胴回り域の一方である第１胴回り域に配置された吸水シートと、前記吸水シートよりも非肌対向面側に配置された液不透過性のバックシートと、前記前胴回り域の外側部と前記後胴回り域の外側部を接合するサイド接合部と、を有する使い捨ておむつであって、前記前胴回り域及び前記後胴回り域の他方である第２胴回り域と前記第１胴回り域が前記幅方向に連続した前記使い捨ておむつを、伸張状態に対して７７％となるように筒体に装着した状態を装着状態とした場合に、前記装着状態における前記第２胴回り域の前記サイド接合部間の長さに対する前記第１胴回り域の前記サイド接合部間の長さの比率は、前記伸張状態における前記第２胴回り域の前記サイド接合部間の長さに対する前記第１胴回り域の前記サイド接合部間の長さの比率よりも高い。
【００１２】
本態様によれば、伸張状態に対して縮んだ装着状態において第２胴回り域のサイド接合部間の長さに対する第１胴回り域のサイド接合部間の長さの比率が高くなる。よって、第１胴回り域は、伸張状態から装着状態まで縮む際に第２胴回り域側に移動する。第２胴回り域よりも皺が少なくなり、肌に密着し易い。よって、吸水シートが肌に密着し、汗等の体液の吸収性を向上できる。
【００１３】
好ましい一態様によれば、前記第１胴回り域は、前記後胴回り域である。
【００１４】
着用者は、腹側に比べて背側において汗をかき易い。着用者の背側に装着される後胴回り域に吸水シートを配置することにより、吸汗性をより向上できる。
【００１５】
好ましい一態様によれば、記使い捨ておむつを廃棄するためのテープ部材を有し、厚さ方向の平面視にて、前記テープ部材は、前記吸水シートの少なくとも一部に重なって配置されている。
【００１６】
吸水シートのテープ部材と重なる領域は、テープ部材によって剛性が高くなる。よって、吸水シートに皺が発生し難くなり、吸水シートを肌により密着させ易い。
【００１７】
好ましい一態様によれば、前記長手方向において、前記テープ部材の内端縁は、前記吸水シートの前記長手方向の中心よりも内側に配置されている。
【００１８】
本態様によれば、テープ部材は、吸水シートの長手方向の中心よりも内側に位置し、着用者の臀裂に対応する位置に配置され易い。よって、テープ部材と重なった吸水シートが、臀裂の窪みにフィットし、吸収性を向上できる。
【００１９】
好ましい一態様によれば、前記長手方向において、前記テープ部材の内端縁は、前記吸水シートの前記長手方向の内端縁よりも内側に配置されている。
【００２０】
テープ部材は、吸水シートの長手方向の内端縁よりも内側に位置し、着用者の臀裂に対応する位置に配置され易い。よって、テープ部材と重なった吸水シートが、臀裂の窪みにフィットし、吸収性を向上できる。
【００２１】
好ましい一態様によれば、厚み方向の平面視にて、前記テープ部材は、前記後胴回り域の前記幅方向の中心に重なる。
【００２２】
テープ部材は、後胴回り域の幅方向の中心に重なっており、装着時に着用者に臀裂の窪みに入り込み易い。よって、テープ部材と重なる吸水シートが密着し、吸収性をより向上できる。
【００２３】
好ましい一態様によれば、前記吸水シートの前記長手方向の外端縁から前記長手方向の外側に延びる外側領域と、前記吸水シートの前記長手方向の内端縁から前記長手方向の内側に延びる内側領域と、を有し、前記吸水シートが配置された領域の前記幅方向の収縮力は、前記外側領域と前記内側領域の少なくとも一方の前記幅方向の収縮力よりも高い。
【００２４】
吸水シートが配置された領域の収縮力が外側領域の収縮力又は内側領域の収縮力よりも高いため、吸水シートが配置された領域が着用者の肌から浮かずに体にフィットし易い。吸水シートが体にフィットすることにより、効率よく体液を吸収し、吸収性を向上できる。
【００２５】
好ましい一態様によれば、前記吸水シートが配置された領域の前記幅方向の収縮力は、前記外側領域の前記幅方向の収縮力及び前記内側領域の前記幅方向の収縮力よりも高い。
【００２６】
本態様によれば、吸水シートが配置された領域が外側領域及び内側領域よりも体にフィットし易い。よって、吸水シートが周囲を起点として肌から浮き上がり難くなり、吸水シートの密着性を確保できる。
【００２７】
好ましい一態様によれば、前記第１胴回り域の前記幅方向の収縮力は、前記第２胴回り域の前記幅方向の収縮力よりも低い。
【００２８】
第１胴回り域及び第２胴回り域が収縮すると、第１胴回り域が第２胴回り域側に引っ張られる。第１胴回り域の皺が少なくなり、第１胴回り域が肌に密着し易くなる。よって、吸水シートが肌に密着し、吸収性を向上できる。
【００２９】
好ましい一態様によれば、前記長手方向において、前記第１胴回り域の外端縁と前吸収性本体の外端縁との長さは、前記第２胴回り域の外端縁と前吸収性本体の外端縁との長さよりも長い。
【００３０】
本態様によれば、吸収性本体が着用者の脚によって圧縮されることによる影響を第１胴回り域が受け難く、第１胴回り域に配置された吸水シートの密着状態を維持し易い。
【００３１】
（２）使い捨ておむつの実施形態
以下、図面を参照して、実施形態に係る使い捨ておむつについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００３２】
図１は、本実施形態に係る使い捨ておむつ１０の正面図である。図２は、使い捨ておむつ１０を肌対向面側から見た平面図であり、図３は、使い捨ておむつを非肌対向面側から見た平面図である。図４は、図２に示すＡ−Ａ線に沿った断面図であり、図５は、図２に示すＢ−Ｂ線に沿った断面図である。図２及び図３に示す平面図は、伸張状態の使い捨ておむつを示している。なお、本発明における伸張状態とは、後述するサイド接合部６０を展開した状態において使い捨ておむつ１０を皺が形成されない状態まで伸張させた状態である。また、本発明における自然状態とは、パッケージに収容されている使い捨ておむつにあっては、パッケージから使い捨ておむつを取り出し、２０℃±２℃、相対湿度６０％±５％ＲＨの雰囲気下において２４時間放置した状態である。
【００３３】
使い捨ておむつ１０は、互いに直交する長手方向Ｌ及び幅方向Ｗを有する。長手方向Ｌは、身体前側と身体後側とに延びる方向によって規定される。言い換えると、長手方向Ｌは、展開された使い捨ておむつ１０において前後に延びる方向である。また、使い捨ておむつ１０は、長手方向Ｌと幅方向Ｗの両方に直交する厚さ方向Ｔを有する。厚さ方向Ｔは、着用者側に向かう肌対向面側Ｔ１と、着用者から離れる側の非肌対向面側Ｔ２と、に延びる。
【００３４】
使い捨ておむつ１０は、前胴回り域Ｓ１と、後胴回り域Ｓ２と、股下域Ｓ３と、を有する。前胴回り域Ｓ１は、着用者の前胴回り（腹部）に対向する領域である。後胴回り域Ｓ２は、着用者の後胴回り（背部）に対向する領域である。股下域Ｓ３は、着用者の股下に位置し、前胴回り域Ｓ１と後胴回り域Ｓ２との間に配置された領域である。本実施の形態では、後述する吸水シート７０は、後胴回り域Ｓ２に配置されている。よって、後胴回り域Ｓ２は、本発明における第１胴回り域を構成し、前胴回り域Ｓ１は、第２胴回り域を構成する。なお、変形例において、吸水シート７０が前胴回り域Ｓ１に配置され、後胴回り域Ｓ２が第２胴回り域を構成し、前胴回り域Ｓ１が第１胴回り域を構成してもよい。
【００３５】
使い捨ておむつ１０は、前胴回り部材２０と、後胴回り部材３０と、吸収性本体４０と、を有していてよい。前胴回り部材２０は、前胴回り域Ｓ１に配置されており、前胴回り部材２０が配置された領域が前胴回り域である。後胴回り部材３０は、後胴回り域Ｓ２に配置されており、後胴回り部材３０が配置された領域が後胴回り域である。前胴回り部材２０は、本発明における第２胴回り部材を構成し、後胴回り部材３０は、本発明における第１胴回り部材を構成する。前胴回り部材２０及び後胴回り部材３０は、例えば不織布シートによって構成されていてよい。具体的には、前胴回り部材２０及び後胴回り部材３０は、使い捨ておむつの最も非肌対向面側Ｔ２に配置された第１外装不織布シート３５と、第１外装不織布シート３５よりも肌対向面側Ｔ１に配置された第２外装不織布シート３６と、を有してよい。第１外装不織布シート３５及び第２外装不織布シート３６は、本発明における不織布シートを構成する。第１外装不織布シート３５及び第２外装不織布シート３６は、熱可塑性繊維を有する。本実施の形態における第１外装不織布シート３５の坪量及び第２外装不織布シート３６の坪量は、それぞれ１０ｇ／ｍ2〜３５ｇ/ｍ2であってよい。第１外装不織布シート３５及び第２外装不織布シート３６は、スパンボンド不織布、SMS不織布、ポイントボンド不織布を用いることができる。第１外装不織布シート３５は、前胴回り部材２０の内端縁及び後胴回り部材３０の内端縁から長手方向Ｌの外側に延び、胴回り開口部６２を基点に肌対向面側Ｔ１に折り返されている。第１外装不織布シート３５の折り返し部３５Ｆは、後述する胴回り開口部６２の近傍において、使い捨ておむつの肌対向面側Ｔ１に配置されてよい。第１外装不織布シート３５の折り返し部３５Ｆは、後述する吸水シートの外端縁を覆っている。また、第１外装不織布シート３５と第２外装不織布シート３６との間には、後述する第１バックシート５１が配置されてよい。ここで、本発明における外端縁とは、長手方向Ｌの外側に位置する縁であり、内端縁とは、長手方向の内側に位置する縁である。
【００３６】
使い捨ておむつ１０には、前胴回り部材２０の外側部と後胴回り部材３０の外側部を接合するサイド接合部６０が設けられていてよい。サイド接合部６０は、前胴回り部材２０の外側部と後胴回り部材３０の外側部とを互いに係止した部分によって規定される。ここで、本発明における外側部とは、幅方向Ｗにおける縁を含む幅方向に一定の範囲を占める部分であり、外側縁とは、幅方向における縁である。サイド接合部６０は、前胴回り部材２０の外側縁２０Ｅ（前胴回り域Ｓ１の外側縁）及び後胴回り部材３０の外側縁３０Ｅ（後胴回り域Ｓ２の外側縁）よりも幅方向の内側に位置してよい。サイド接合部６０の外側縁は、具体的には、前胴回り部材２０の外側縁２０Ｅ及び後胴回り部材３０の外側縁３０Ｅよりも５ｍｍ以上内側に位置してよい。図１に示すように、サイド接合部６０が形成された状態で、使い捨ておむつ１０には、着用者の胴が通される胴回り開口部６２と、着用者の脚がそれぞれ挿入される一対の脚回り開口部６６と、が形成される。胴回り開口部６２は、前胴回り域Ｓ１の前端縁と、後胴回り域Ｓ２の後端縁とによって規定されていてよい。
【００３７】
ここで、図２は、サイド接合部６０における接合を解除し、使い捨ておむつ１０を展開した状態を示している。サイド接合部６０は、前胴回り部材２０及び後胴回り部材３０のそれぞれにおいて、長手方向Ｌに沿って延びていてよい。この場合、前胴回り域Ｓ１と股下域Ｓ３との境界は、前胴回り部材２０に設けられたサイド接合部６０の後端縁によって規定されていてよい。同様に、後胴回り域Ｓ２と股下域Ｓ３との境界は、後胴回り部材３０に設けられたサイド接合部６０の前端縁によって規定されていてよい。
【００３８】
前胴回り域Ｓ１及び後胴回り域Ｓ２には、幅方向Ｗに伸縮可能な伸縮性部材３２が配置されていてよい。伸縮性部材３２は、例えば、幅方向Ｗに伸縮可能な糸ゴム、又は幅方向Ｗに伸縮可能な弾性シートによって構成されていてよい。この代わりに、伸縮性部材３２は、例えば伸縮可能なシートにより構成された前胴回り部材２０自体及び後胴回り部材３０自体によって構成されていてもよい。
【００３９】
第２胴回り域を構成する前胴回り域Ｓ１の幅方向Ｗの収縮力は、第１胴回り域を構成する後胴回り域Ｓ２の幅方向Ｗの収縮力よりも高くてよい。前胴回り域Ｓ１の収縮力が後胴回り域Ｓ２の収縮力よりも高いため、装着された状態で後胴回り域Ｓ２の幅方向Ｗの外側縁が前胴回り域Ｓ１側に引っ張られる。よって、後胴回り域の幅方向の外側縁が、正面視にて着用者から視認され易くなる。また、前胴回り域Ｓ１及び後胴回り域Ｓ２が収縮すると、後胴回り域Ｓ２が前胴回り域Ｓ１側に引っ張られる。後胴回り域Ｓ２に形成される皺が前胴回り域Ｓ１よりも少なくなり、後胴回り域Ｓ２が肌に密着し易くなる。
【００４０】
なお、本実施の形態における収縮力は、幅方向の縮み易さであり、以下のように測定できる。先ず、使い捨ておむつのサイド接合部を破り、使い捨ておむつを展開状態とする。前胴回り部材の後端縁及び後胴回り部材の前端縁に沿っておむつを切断し、股下域を切り離す。これにより、前胴回り域のサンプルと後胴回り域のサンプルを得ることができる。また、後述する第１領域及び第２領域の収縮力を測定する際は、前胴回り域及び後胴回り域から第１領域及び第２領域を切り出し、第１領域のサンプルと第２領域のサンプルを得ることができる。
【００４１】
そして、各サンプルにつき幅方向の各端部１０ｍｍを掴み部とし、各掴み部以外の部分を残りの部分とした場合に、当該残りの部分を長手方向及び幅方向に皺なく広げた状態（１００％の伸張状態の寸法）での幅方向の寸法ＬＡ（ｍｍ）を予め側定しておく。そうしたら、サンプルの各掴み部を、引張り試験機（例えば、島津製作所社製のオートグラフＡＧＳ−Ｘ等）が備える上下の各チャックに把持させて、上下の各チャック同士の間隔を広げることにより、収縮状態のサンプルを１００（ｍｍ／ｍｉｎ）の引っ張り速度で上記のＬＡの８５％の長さまで幅方向に伸張し、しかる後に、ＬＡの７０％の長さまで各チャック同士の間隔を狭めた状態にする。そして、この狭めた状態の時の力を収縮力（Ｎ）とする。
【００４２】
使い捨ておむつ１０は、使い捨ておむつを廃棄するためのテープ部材８０を有してよい。テープ部材８０は、使い捨ておむつ１０の最も非肌対向面側Ｔ２に配置されてよい。テープ部材８０は、廃棄時には、廃棄前の状態と比較して、長手方向Ｌに延出可能に構成されてよい。具体的には、テープ部材８０は、幅方向Ｗに沿った折り目を基点に折り畳まれてよい。テープ部材８０の長手方向Ｌの曲げ剛性は、使い捨ておむつの構成する他の構成部材よりも長手方向の曲げ剛性よりも高くてよく、テープ部材８０の幅方向の曲げ剛性は、使い捨ておむつの構成する他の構成部材よりも幅方向の曲げ剛性よりも高くてよい。
【００４３】
吸収性本体４０は、少なくとも股下域Ｓ３に配置されてよい。吸収性本体４０は、前胴回り域Ｓ１及び後胴回り域Ｓ２に延びていてよい。吸収性本体４０は、前胴回り部材２０及び後胴回り部材３０とは別体として構成されていてよい。この場合、吸収性本体４０は、前胴回り域Ｓ１及び後胴回り域Ｓ２において、それぞれ前胴回り部材２０及び後胴回り部材３０と接合されていてよい。図２に示すように、長手方向Ｌにおいて、後胴回り域の外端縁と吸収性本体の外端縁との長さＬ１２は、前胴回り域Ｓ１の外端縁と吸収性本体の外端縁との長さＬ１１よりも長くてよい。
【００４４】
吸収性本体４０は、少なくとも吸収コア４５を含んでいる。吸収コア４５は、例えば粉砕パルプもしくは高吸収性ポリマー（ＳＡＰ）、又はこれらの混合物を含んでいてよい。吸収コア４５は、少なくとも股下域Ｓ３に配置されている。好ましくは、吸収コア４５は、長手方向Ｌにおいて、前胴回り域Ｓ１から後胴回り域Ｓ２にわたって延びていてよい。吸収コア４５は、コアラップによって覆われていてよい。さらに、吸収性本体４０は、吸収コア４５の肌対向面側に位置するトップシート４１を有していてよい。
【００４５】
吸収性本体４０は、レッグフラップ４６を有してよい。レッグフラップ４６は、吸収コア４５よりも幅方向Ｗの外側に配置されてよい。レッグフラップ４６は、少なくとも２層のレッグシート４７と、レッグシート４７間に配置されたレッグ弾性部材４８と、を有してよい。レッグシート４７は、トップシート４１の一部であってもよいし、図示しないバックシートの一部であってもよいし、トップシート４１及びバックシートと別体のシートであってもよい。レッグ弾性部材４８は、長手方向に伸長された状態でレッグシート４７に固定されている。レッグ弾性部材４８は、幅方向に間隔を空けて配置された複数の糸ゴム（３２０〜６２０ｄｔｅｘ）によって構成されてよい。レッグ弾性部材４８は、レッグフラップ４６における長手方向の所定の領域において伸長状態で配置されている。レッグ弾性部材４８が伸長状態で配置されている領域ではレッグフラップ４６に対して長手方向に収縮する力が働き、レッグ弾性部材４８が伸長状態で配置されていない領域ではレッグフラップ４６に対して長手方向に収縮する力が働かない。本明細書中では、この長手方向に収縮する力が働く領域の長手方向長さをレッグ弾性部材４８の「有効長」とも呼ぶ。有効長部分は、おむつの自然状態においてレッグ弾性部材の収縮によって皺が形成されている部分である。図２においてレッグ弾性部材４８の有効長部分４９を示す。吸収性本体４０は、図２に示す接合領域Ｒ４０において、前胴回り部材２０及び後胴回り部材３０に接合されている。有効長部分４９は、接合領域Ｒ４０に重なっていてよい。
【００４６】
前胴回り域Ｓ１及び後胴回り域Ｓ２の一方には、吸水シート７０が配置されている。吸水シート７０は、汗等の体液を吸収可能なシートである。吸水シート７０は、後胴回り域Ｓ２に配置されてよい。着用者は、腹側に比べて背側において汗をかき易い。着用者の背側に装着される後胴回り域Ｓ２に吸水シート７０を配置することにより、吸汗性をより向上できる。吸水シート７０は、少なくともパルプ繊維を含むパルプシート７１を有してよい。パルプ繊維は、例えば、木材パルプ及び非木材パルプが挙げられる。木材パルプとしては、針葉樹パルプ及び広葉樹パルプ等を例示でき、非木材パルプとしては、綿パルプ、麻パルプ、ワラパルプ、竹パルプ、バガスパルプ、ヨシパルプ、ケナフパルプ等を例示できる。パルプシート７１は、パルプ繊維以外の親水性繊維を含んでいてよい。親水性繊維は、再生セルロース繊維（レーヨン、ビスコースレーヨン等）のような天然繊維、半合成セルロース繊維（アセテート繊維等）、精製セルロース繊維等が挙げられる。
【００４７】
吸水シート７０は、吸水不織布シート７２を更に有してもよい。吸水不織布シート７２は、本発明における不織布シートを構成する。吸水不織布シート７２は、厚さ方向Ｔにおいてパルプシート７１を挟んで配置されてよい。本実施の形態の吸水シート７０は、１０〜３５ｇ／ｍ2のパルプシート７１と、パルプシート７１の厚さ方向の両側に配置された１０〜２５ｇ／ｍ2の吸水不織布シート７２と、を有してよい。パルプシート７１は、パルプ繊維を有し、熱可塑性繊維を有しなくてもよい。吸水不織布シート７２は、熱可塑性繊維を有する。熱可塑性樹脂繊維としては、ポリオレフィン系ポリマー（ポリエチレン、ポリプロピレン、ポリエステル系、ポリエチレンテレフタレート等）や、ポリアミド系ポリマー、アクリル系ポリマー、これらを用いた繊維や、これらを組み合わせて構成された繊維を例示できる。吸水シート７０は、着色されていてよい。着色は、吸水シート７０を構成するパルプシート自体の色であってもよいし、印刷等によって着色されていてもよいし、吸水シート７０の一部に着色部が設けられていてもよい。着色部は、図柄や絵柄を示してもよいし、ストライプなどの模様を示してもよい。本実施の形態の吸収シートは、吸水シート７０の全体に亘って着色されている。
【００４８】
吸水シート７０は、使い捨ておむつ１０の最も肌対向面側Ｔ１に配置されている。よって、吸水シート７０は、装着状態において着用者の肌に触れる。吸水シート７０は、肌に触れ、汗などの体液を吸収する。吸水シート７０は、厚さ方向において少なくとも第１外装不織布シート３５及び第２外装不織布シート３６に重なってよい。吸水シート７０は、接着剤等の接着手段によって吸水シート７０の非肌対向面側Ｔ２に位置するシート等の部材に接合されている。
【００４９】
吸水シート７０は、厚さ方向の平面視にて、レッグフラップ４６の有効長部分と重ならなくてよい。本実施の形態のように、前胴回り部材と後胴回り部材が長手方向に離間した構造のパンツ型おむつは、吸収コア４５よりも幅方向Ｗ外側に延出し、かつ前胴回り部材２０及び後胴回り部材３０に固定されているレッグフラップ４６によって、使い捨ておむつの脚回り領域を着用者の脚回りにフィットさせる。しかし、吸収コアが体液を吸収すると、体液の重みによって吸収性本体が下方に下がる力が発生し、レッグフラップ４６の長手方向に収縮によって前胴回り部材及び後胴回り部材に対して下方に下がる力がかかるおそれがある。レッグフラップ４６の有効長部分４９と吸水シート７０が厚さ方向において重ならないため、レッグフラップ４６を介して伝達される下方への力を吸水シート７０に掛かり難くなり、吸水シートの下方へのずれを抑止し易い。よって、吸水シートの長手方向の位置ずれを抑制し、着用者の胴回りに吸水シートを保持し続け易い。よって、着用者に対して適切な位置に吸水シート７０を配置し、着用者の汗を吸収する効果を持続し易い。
【００５０】
また、レッグフラップのレッグ弾性部材のうち、幅方向の外側に位置するレッグ弾性部材４８２は、接合領域Ｒ４０に重なってなく、幅方向の内側に位置するレッグ弾性部材４８１は、接合領域Ｒ４０に重なってよい。幅方向の外側に位置するレッグ弾性部材４８２が接合領域Ｒ４０に重なっていないため、着用者の脚回りに対してレッグフラップがフィットした際にレッグフラップが柔軟に変形でき、着用者が脚を動かし易くなる。また、幅方向の内側に位置するレッグ弾性部材４８１は、体液を吸収する吸収コアに隣接しており、体液による重みがかかり易い。幅方向の内側に位置するレッグ弾性部材４８１が接合領域Ｒ４０に重なっていることにより、体液に吸収によって吸収コアが重くなった際にも、当該レッグ弾性部材によって吸収性本体を胴回り部材側に引き上げ続け易くなる。
【００５１】
吸水シート７０は、後胴回り域Ｓ２の長手方向Ｌの全域に対する一部に設けられていてよい。吸水シート７０の外端縁７０２は、サイド接合部６０の外端縁６０２よりも長手方向Ｌの内側に位置してよい。吸水シート７０の内端縁７０１は、サイド接合部６０の内端縁６０１よりも長手方向Ｌの内側に位置してよい。後胴回り域Ｓ２は、幅方向Ｗにおいて後胴回り域Ｓ２の一方の外側縁から他方の外側縁まで延び、長手方向Ｌにおいて吸水シート７０の内端縁から吸水シート７０の外端縁までに延びる第１領域Ｒ１を有してよい。第１領域Ｒ１は、換言すると、吸水シート７０が配置された領域と、後胴回り域Ｓ２において吸水シート７０が配置された領域から幅方向に延びる領域と、を合わせた領域である。また、前胴回り域Ｓ１は、第１領域Ｒ１と幅方向Ｗにおいて連なり、かつ幅方向Ｗにおいて前胴回り域Ｓ１の一方の外側縁から他方の外側縁まで延びる第２領域Ｒ２を有してよい。第１領域Ｒ１と第２領域は、図１に示すパンツ型の状態で幅方向Ｗに連なっていればよい。また、吸水シート７０は、後胴回り域Ｓ２の幅方向Ｗの全域に配置されてよい。吸水シート７０は、サイド接合部６０よりも幅方向Ｗの外側に配置された延出部７５を有してよい。延出部７５は、吸水シート７０の外側縁７０Ｅとサイド接合部６０の間の部分である。
【００５２】
使い捨ておむつ１０は、吸水シート７０よりも非肌対向面側Ｔ２に配置された液不透過性のバックシート５０を有する。バックシート５０は、厚さ方向Ｔの平面視にて、少なくとも一部が吸水シートと重なっていてよい。よって、吸水シートによって吸収された体液が非肌対向面側（おむつの外側）に漏れることを抑制できる。なお、バックシート５０の少なくとも一部が吸水シートよりも非肌対向面側Ｔ２に配置されていればよい。バックシート５０は、吸水シート７０よりも非肌対向面側Ｔ２に配置されていない部分を有してもよい。
【００５３】
図４に示すように、バックシート５０は、第１バックシート５１と、第１バックシート５１よりも肌対向面側Ｔ１に位置する第２バックシート５２と、を有してよい。第１バックシート５１は、前胴回り域Ｓ１と後胴回り域Ｓ２のそれぞれに配置されてよい。第１バックシート５１は、第１外装不織布シート３５及び第２外装不織布シート３６の間に位置してよい。第１バックシート５１の内端縁５１１は、後胴回り域Ｓ２又は前胴回り域Ｓ１の内端縁よりも長手方向Ｌの外側に位置してよい。後胴回り域Ｓ２における第１バックシート５１の内端縁５１１は、吸水シート７０の内端縁７０１よりも長手方向Ｌの内側に位置してよい。第１バックシート５１の外端縁５１２は、後胴回り域Ｓ２又は前胴回り域Ｓ１の外端縁よりも長手方向Ｌの内側に位置してよい。後胴回り域Ｓ２における第１バックシート５１の外端縁５１２は、吸水シート７０の外端縁７０２よりも長手方向の内側に位置してよく、第２バックシート５２の外端縁５２２よりも長手方向Ｌの外側に位置してもよい。本実施の形態において、第１バックシート５１の外端縁５１２は、バックシートの外端縁を構成する。なお、変形例において、第２バックシート５２の外端縁５２２がバックシートの外端縁を構成してもよい。
【００５４】
第２バックシート５２は、前胴回り域Ｓ１、後胴回り域Ｓ２及び股下域Ｓ３に跨って配置されてよい。第２バックシート５２は、吸収コア４５の非肌対向面側Ｔ２であって、前胴回り部材２０及び後胴回り部材３０よりも肌対向面側Ｔ１に配置されてよい。第２バックシート５２の外端縁５２２は、後胴回り域Ｓ２又は前胴回り域Ｓ１の外端縁よりも長手方向Ｌの内側に位置する。後胴回り域Ｓ２における第２バックシート５２の外端縁５２２は、吸水シート７０の外端縁７０２よりも内側に位置してよく、第１バックシートの外端縁５１２よりも内側に位置してよい。第１バックシート５１及び第２バックシート５２は、使い捨ておむつ１０の幅方向Ｗの中央部に配置され、使い捨ておむつ１０の幅方向Ｗの側部に配置されていなくてよい。
【００５５】
厚さ方向の平面視にて、バックシート５０の少なくとも一部は、吸水シート７０に重なってよい。吸水シート７０は、第１バックシート５１の少なくとも一部と重なっていてもよいし、第２バックシート５２の少なくとも一部と重なっていてもよいし、第１バックシート５１及び第２バックシート５２の両方に重なっていてもよい。吸水シート７０は、第１バックシート５１の外端縁５１２よりも長手方向Ｌの内側の領域において、バックシート５０に重なっている。吸水シート７０は、第２バックシート５２の外端縁５２２よりも長手方向Ｌの内側の領域では、第１バックシート５１と第２バックシートの両方に重なっている。また、吸水シート７０は、幅方向Ｗにおいて、第１バックシート５１の外側縁よりも内側の領域又は第２バックシート５２の外側縁よりも内側の領域において、バックシート５０に重なっている。吸水シート７０の少なくとも一部がバックシート５０に重なっているため、吸水シート７０によって吸収した体液の漏れを抑制できる。また、使用者は、おむつの外側から視認した際に、吸水シート７０の色の濃さの違いによって、吸水シート７０の少なくとも一部がバックシートと重なっていることを把握できる。よって、吸水シート７０によって吸収した体液の漏れに対する安心感を得やすい。
【００５６】
吸水シート７０は、バックシート５０の外端縁よりも長手方向Ｌの外側に延出した長手延出部７７を有してよい。図３において、長手延出部７７と後述する幅延出部７８に異なる斜線を付して示す。長手延出部７７は、第１バックシート５１の外端縁５１２と吸水シート７０の外端縁７０２との間の部分である。長手延出部７７は、バックシート５０よりも長手方向Ｌの外側に延出しており、バックシート５０を介さずにおむつの外側から視認され易くなる。また、吸水シート７０は、着色されており、おむつの外側から視認され易い。使用者は、長手延出部７７をおむつの外側から視認し、吸水シート７０の存在を認識し易い。吸収シートが着色部を有する構成にあっては、使用者は、吸収シート７０の着色部に基づいて吸収シートの存在を認識し易い。よって、使用者は、汗等の体液の吸収性に対する安心感を得ることができる。吸水シート７０が着色され、かつ吸水シート７０とバックシート５０が重なった領域と吸水シート７０とバックシート５０が重ならない領域とを備えるため、吸水シートの視認性と体液の漏れを両立できる。使用者は、漏れに対する安心感と吸収性に対する安心感の両方を得易くなる。
【００５７】
図３に示すように、吸水シート７０とバックシート５０が重なる領域の長手方向Ｌの長さＬ２１は、長手延出部７７の長手方向Ｌの長さＬ２２よりも長くてよい。吸水シート７０とバックシート５０が重なる領域の長手方向Ｌの長さＬ２１は、第１バックシート５１の外端縁５１２と吸水シート７０の内端縁７０１との長手方向Ｌの距離である。長手延出部７７の長手方向Ｌの長さは、第１バックシート５１の外端縁５１２と吸水シート７０の外端縁７０２との長手方向Ｌの距離である。吸水シート７０とバックシート５０と重なる領域の方が長手延出部７７よりも長く、体液の漏れを抑制する効果を高めることができる。吸水シート７０は、着色されているため、他のシート等に対して目立ちやすい。よって、長手延出部７７の長さが短い場合であっても、使用者は、吸水シート７０の存在を把握し易く、吸収性に対する安心感を得ることができる。より好適には、長手延出部７７の長手方向Ｌの長さは、吸水シート７０の長手方向Ｌの全長に対する３０％未満であってよい。吸水シート７０は、長手方向Ｌにおいて吸水シート７０の全長に対する７０％以上の領域でバックシート５０に重なっており、体液の漏れを確保できる。よって、吸水シート７０の視認性と防漏性をより両立し易い。
【００５８】
吸水シート７０は、バックシート５０の外側縁よりも幅方向の外側に延出した幅延出部７８を有してよい。幅延出部７８は、第２バックシート５２の外端縁５２２よりも長手方向の外側においては、第１バックシート５１の外側縁と吸水シートの外側縁の間の部分であり、第２バックシート５２の外端縁５２２よりも長手方向の内側においては、第１バックシート５１の外側縁と第２バックシートの外側縁のうち幅方向の外側に位置する外側縁と吸水シートの外側縁の間の部分である。なお、第１バックシート５１の外側縁と第２バックシートの外側縁の幅方向の位置関係は限定されない。このように幅延出部７８が設けられていることにより、使用者は、バックシート５０よりも幅方向Ｗの外側に延出した吸水シート７０をおむつの外側から視認し、吸水シートの存在を認識し易い。よって、使用者は、吸収性に対する安心感を得ることができる。
【００５９】
図３に示すように、幅延出部７８は、バックシートの外側縁と使い捨ておむつの外側縁との幅方向の中心ＣＬよりも幅方向の外側に延出してよい。幅延出部７８は、バックシート５０よりも幅方向Ｗの外側の領域うち幅方向の半分以上の領域に配置されている。使用者は、バックシートよりも幅方向の外側に延出した吸水シートをより視認し易くなる。より好ましくは、吸水シート７０は、使い捨ておむつの幅方向の全域に配置されていてよい。吸水シートが使い捨ておむつの幅方向の全域に配置されているため、使用者は、吸水シートをより視認し易くなる。使用者は、吸水シートの存在をより認識し易く、吸収性に対する安心感を得ることができる。
【００６０】
吸水シート７０の長手延出部７７及び幅延出部７８は、バックシートと重ならない非重畳領域を構成する。伸張状態において、非重畳領域の面積は、吸水シート全体の面積に対する６０％以上であることが好ましい。伸張状態において、吸水シートは、全体面積に対する６０％以上の領域でバックシートに重なってない。よって、吸水シート７０の視認性をより確保し易い。
【００６１】
厚さ方向の平面視にて、伸縮性部材３２は、長手延出部７７に重なり、かつ長手延出部７７の非肌対向面側に配置されてよい。自然状態の使い捨ておむつを非肌対向面側から視認した状態における長手延出部７７のL*a*b*色空間のＬ値は、８２以上であってよく、好ましくは、８５以上であってよい。長手延出部７７のL*a*b*色空間のＬ値は、吸水シート７０自体のＬ値ではなく、使い捨ておむつの非肌対向面側から測定した状態のＬ値である。自然状態の使い捨ておむつを非肌対向面側から視認した状態とは、使い捨ておむつの後胴回り域の非肌対向面が上になるように、相対湿度６０％±５％ＲＨの雰囲気下において２４時間放置して、おむつを視認した状態である。吸水シート７０の長手延出部７７は、第１外装不織布シート３５及び第２外装不織布シート３６を介して視認される。使用者は、おむつの外側から吸水シート７０を視認した際に長手延出部７７と共に伸縮性部材３２を視認することができる。このとき、伸縮性部材３２が目立ち過ぎると、伸縮性部材３２による違和感が生じるおそれがある。具体的には、伸縮性部材３２が目立ち過ぎると、伸縮性部材が強調され、伸縮性部材が目立たずに配置されているおむつと比較して違和感が生じたり、伸縮性が強調され過ぎ、肌に伸縮による跡がつき、肌に優しくないように感じたり、化学っぽく、肌に優しくないように感じたりするおそれがある。おむつの非肌対向面側から視認された状態における長手延出部のL*a*b*色空間のＬ値が８５以上であることにより、伸縮性部材３２が目立ち過ぎることを抑制でき、伸縮性部材３２よる違和感を抑制できる。より好ましくは、長手延出部７７のL*a*b*色空間のＬ値は、伸縮性部材３２のＬ値である９１．６以下であってよい。長手延出部７７に対して伸縮性部材３２をより目立ち難くできる。なお、長手延出部のＬ値は、測定対象について市販の測色器を用いて測色を行い、ＪＩＳ Ｚ 8729に規定されるＣＩＥ１９７６（L*a*b*）色空間に基づいて数値化した値によって求めることができる。
【００６２】
好ましくは、吸水シート７０は、青基調であってよい。吸水シート７０が青基調であることにより、見た目が涼しげな印象となり、清涼感が向上する。また、伸縮性部材３２は、白基調であってよい。伸縮性部材３２が白基調であることにより、吸水シート７０に対して目立ち難くなり、より違和感を抑制し易い。なお、白基調とは、（L*a*b*）色空間のＬ値が９０.０以上であり、青基調とは、（L*a*b*）色空間のｂ値が０以下、かつａ値が２０以下である。
【００６３】
次いで、このように構成された吸水シートの違和感の評価について説明する。実施例１〜５及び比較例１〜２の自然状態の使い捨ておむつを、普段から使い捨ておむつを使用している１０人の被験者に視認してもらい、伸縮性部材の違和感について、以下の評価基準に従ってアンケートを実施した。評価における使い捨ておむつの（L*a*b*）は、自然状態の使い捨ておむつの非肌対向面側から測定した長手延出部の値である。本評価における伸縮性部材３２の（L*a*b*）色空間のＬ値は、９１．６であり、ａ値は、−０．６２であり、ｂ値は、−１．８１である。
（判定基準）
良：伸縮性部材を認識できない。または、伸縮性部材を認識できるが、違和感が生じない。
不良：伸縮性部材を認識でき、違和感が生じる。
アンケート結果から３０人の被験者のうち、８０％以上の被験者の結果が「良」であるおむつを総合評価◎とし、６０％以上の被験者の結果が「良」であるおむつを総合評価○とし、６０％未満の被験者の結果が「良」であるおむつを総合評価×とした。
【００６４】
【表１】
2019093509.tif 000003
【００６５】
表１に示すように、実施例１から５の使い捨ておむつは、伸縮性部材による違和感が生じ難い。よって、長手延出部７７のＬ値は、８２以上であることが好ましい。また、実施例１から４の使い捨ておむつによれば、８割以上の使用者が違和感を生じ難いことがわかった。よって、より好ましくは、長手延出部７７のＬ値は、８５以上であってよい。
【００６６】
次いで、このように構成された使い捨ておむつのサイド接合部近傍における前胴回り域Ｓ１と後胴回り域Ｓ２の接合について、図６から図８を参照して説明する。図６は、図１に示すＣ−Ｃ断面、図７は、図１に示すＤ−Ｄ断面、図８は、図１に示すＥ−Ｅ断面を示している。図６及び図７は、吸水シート７０が配置された領域の断面であり、図８は、吸水シート７０が配置されてない領域の断面である。
【００６７】
使い捨ておむつ１０には、第２胴回り域である前胴回り域Ｓ１と吸水シート７０の延出部７５とが接合されていない非接合部ＮＲが設けられている。非接合部ＮＲは、パンツ型の状態において、延出部７５における前胴回り域Ｓ１側の面と、前胴回り部材２０における後胴回り域Ｓ２側の面と、が接合されていない領域である。非接合部ＮＲは、延出部７５の外側縁から幅方向Ｗの内側に向かう領域に設けられていてよく、延出部７５の外側縁からサイド接合部６０まで連続していてもよい。非接合部ＮＲの外側縁は、延出部７５の外側縁、すなわち吸水シート７０の外側縁７０Ｅである。非接合部ＮＲの内側縁は、サイド接合部６０に隣接していてもよいし、サイド接合部６０と幅方向Ｗにおいて離間していてもよい。
【００６８】
延出部７５の外側縁から幅方向Ｗの内側に向かう領域では、延出部７５は、前胴回り域Ｓ１と接合されていない。よって、延出部７５の外側縁から幅方向Ｗの内側に向かう領域では、延出部７５が前胴回り域Ｓ１から離間し、おむつの外側から視認され易くなる。特に、図６のＣ−Ｃ断面に示すように、吸水シート７０が第１外装不織布シート３５の折り返し部３５Ｆによって覆われていない領域では、延出部７５が露出し、おむつの外側から視認され易くなる。また、吸水シート７０が着色されているため、使用者は、吸水シート７０を認識し易い。使用者は、吸水シート７０の延出部７５によって吸水シート７０の存在を認識し易い。使用者は、吸収コアとは別に、体液を吸収可能な吸水シート７０が配置されていることを認識でき、汗等の体液の吸収性に対する安心感を得ることができる。また、使用者は、吸水シート７０の延出部７５を目印として使い捨ておむつの幅方向の外側縁を認識でき、装着時に使い捨ておむつの幅方向のずれを把握し易くなる。よって、使用者は、体に対して適した位置に使い捨ておむつを装着できる。
【００６９】
また、第２胴回り域を構成する前胴回り域Ｓ１の幅方向Ｗの収縮力は、第１胴回り域を構成する後胴回り域Ｓ２の幅方向Ｗの収縮力よりも高くてよい。前胴回り域Ｓ１が後胴回り域Ｓ２よりも幅方向に収縮し易いため、装着状態で後胴回り域Ｓ２の外側縁が前胴回り域Ｓ１側に引っ張られる。よって、吸水シート７０の延出部７５は、前側に引き寄せられ、正面から視認した際により目立ち易くなる。すなわち、延出部７５は、装着者の身体の側部ではなく前側又は後側に偏倚しており、側部に配置されている構成と比較して目立ち易い。使用者は、吸水シート７０の延出部７５をより認識し易く、体液の吸収性に対する安心感をより得易い。使用者が延出部７５を認識し易い効果を得るために、延出部７５の幅方向Ｗの長さは、５ｍｍ以上であることが好ましい。
【００７０】
このように構成された使い捨ておむつを製造する場合は、例えば、以下の製造方法によって製造できる。まず、前胴回り部材が幅方向に連続した前連続体と、後胴回り部材が幅方向に連続した後連続体と、をそれぞれ搬送し、この前連続体と後連続体に跨るように、吸収性本体４０等の構成部材を配置する。次いで、前連続体と後連続体が重なるように、幅方向に延びる折り線を基点に当該連続体及び吸収性本体を折り畳む。そして、サイド接合部を形成し、前胴回り域の外側縁及び後胴回り域の外側縁に沿って連続体を切断する。これにより、パンツ型の使い捨ておむつを得ることができる。
【００７１】
前連続体及び後連続体を切断する際は、前連続体と後連続体を重ねた状態でカッター等の切断装置によって切断する。よって、切断時に前連続体と後連続体が溶着し、サイド接合部よりも幅方向の外側に前連続体（前胴回り域）と後連続体（後胴回り域）とが接合された第２サイド接合部６１が形成される（図１及び図８参照）。このとき、パルプ繊維を含むパルプシート７１と外装不織布シートは接合し難く、外装不織布シート同士は接合し易い。よって、図６及び図７に示すように、パルプシート７１を有する吸水シート７０が配置された領域では、切断による第２サイド接合部６１が形成されない。一方、図８に示すように、吸水シート７０が配置されてない領域では、切断による第２サイド接合部６１が形成される。
【００７２】
吸水シート７０よりも長手方向Ｌの外側の領域及び内側の領域では、第２サイド接合部６１が形成されてよい。第２サイド接合部６１は、サイド接合部６０よりも幅方向Ｗの外側において、前胴回り域Ｓ１と後胴回り域Ｓ２が接合された部分である。第２サイド接合部６１は、サイド接合部６０に対して幅方向Ｗに離間してよい。この構成によれば、吸水シート７０よりも長手方向Ｌの外側の領域では、サイド接合部６０と、第２サイド接合部６１と、が設けられている。吸水シートよりも長手方向の外側の領域では、おむつの外側から第１胴回り域と第２胴回り域の間に指などが入り難く、第２サイド接合部６１によってサイド接合部６０の接合状態を保護できる。よって、使用中にサイド接合部６０の接合が意図せず破れることを抑制できる。
【００７３】
不織布シートは、サイド接合部６０が設けられた領域においてパルプシート７１よりも厚さ方向における第１胴回り域側に配置された第１側不織布シートと、サイド接合部６０が設けられた領域においてパルプシート７１よりも厚さ方向における第２胴回り域側に配置された第２側不織布シートと、を有する。図６に示す領域では、第１側不織布シートは、吸水不織布シート７２、後胴回り域Ｓ２における第１外装不織布シート３５及び後胴回り域Ｓ２における第２外装不織布シート３６によって構成され、第２側不織布シートは、吸水不織布シート７２、前胴回り域Ｓ１における第１外装不織布シート３５及び前胴回り域Ｓ１における第２外装不織布シート３６によって構成される。図７に示す領域では、第１側不織布シートは、吸水不織布シート７２、前胴回り域Ｓ１における１枚の第１外装不織布シート３５、後胴回り域Ｓ２における２枚の第１外装不織布シート３５及び後胴回り域Ｓ２における第２外装不織布シート３６によって構成される。図７に示す領域では、第２側不織布シートは、吸水不織布シート７２、前胴回り域Ｓ１における第１外装不織布シート３５及び前胴回り域Ｓ１における第２外装不織布シート３６によって構成される。なお、吸水シート７０が吸水不織布シートを有しない構成にあっては、第１側不織布シート及び第２側不織布シートは、第１外装不織布シート及び第２外装不織布シートの少なくともいずれか一方によって構成されてよい。
【００７４】
第１側不織布シートの坪量及び第１側不織布シートの坪量は、パルプシート７１の坪量よりも高くてよい。第１側不織布シートの坪量は、第１側不織布シートを構成する不織布シートの合計坪量である。第２側不織布シートの坪量は、第２側不織布シートを構成する不織布シートの合計坪量である。第１側不織布シートの坪量及び第２側不織布シートの坪量が比較的高いため、切断時の不織布シート同士の接合による第２サイド接合部６１が形成され易く、また第２サイド接合部６１の接合状態を維持し易い。パルプシート７１による体液の吸収性を発揮しつつ、前胴回り域Ｓ１の外側縁と後胴回り域の外側縁の接合状態を維持し易くなる。
【００７５】
サイド接合部６０は、熱溶着等によっておむつの非肌対向面側Ｔ２の面から形成される。サイド接合部６０が形成されることによって、不織布等の熱可塑性繊維が溶着する。このとき、パルプシート７１は、パルプ繊維を有し、不織布と比較して溶着し難い。よって、サイド接合部６０においてパルプシート７１と重ならない部分の接合強度は、サイド接合部においてパルプシート７１と重なる部分の接合強度よりも高い。サイド接合部６０においてパルプシート７１と重ならない部分は、吸水シート７０よりも長手方向の外側に位置する部分と吸水シート７０よりも長手方向の内側に位置する部分である。図６等に示すように、サイド接合部６０が形成された領域では、厚さ方向Ｔにおいてパルプシート７１と吸水不織布シート７２、第１外装不織布シート３５及び第２外装不織布シート３６が重なっている。
【００７６】
吸水シート７０は、後胴回り域Ｓ２に配置され、後胴回り域Ｓ２に接着剤等によって接合されている。よって、サイド接合部６０が形成された状態において、パルプシート７１よりも厚さ方向Ｔにおける後胴回り域Ｓ２側では、吸水シート７０と他のシートの接合状態が維持され易い。一方、パルプシート７１よりも厚さ方向Ｔにおける前胴回り域Ｓ１側では、吸水シート７０と他のシートの接合状態が維持され難いおそれがある。吸水シート７０と前胴回り域Ｓ１の接合状態を維持するために、パルプシート７１の坪量は、パルプシート７１よりも第２胴回り域側に配置された第２側不織布シートの坪量よりも低いことが好ましい。パルプシート７１の坪量が第２側不織布シートの坪量よりも低いため、当該第２側不織布シートよってサイド接合部６０の接合状態を維持し、使用中に意図せずにサイド接合部６０が破れることを抑制できる。
【００７７】
図２に示すように、吸水シート７０の外端縁７０２とサイド接合部６０の外端縁６０２との距離Ｌ１は、吸水シート７０の内端縁７０１とサイド接合部６０の内端縁６０１との距離Ｌ２よりも短くてよい。使い捨ておむつを着用者から外す際は、一般的にサイド接合部６０の外端縁６０２から長手方向Ｌの内側に向かってサイド接合部６０を破る。このとき、使用者は、吸水シート７０よりも長手方向Ｌの外側の領域では、サイド接合部の強度が比較的高く、吸水シート７０が配置された領域では、サイド接合部６０の強度が比較的低い。吸水シート７０の外端縁７０２とサイド接合部６０の外端縁６０２との距離Ｌ１が吸水シート７０の内端縁７０１とサイド接合部６０の内端縁６０１との距離よりも短いため、サイド接合部の長手方向の外端縁から長手方向の内側に向かってサイド接合部を破る際に、直ぐに破り易い領域に到達できる。よって、使用者は、サイド接合部６０を容易に破り易くなる。
【００７８】
また、使い捨ておむつ１０は、吸水シート７０が肌に密着し易いように構成されている。吸水シート７０が肌に密着することにより、汗等の体液の吸収性を向上できる。次いで、吸水シート７０を肌に密着させ易くするための構成について、詳細に説明する。
【００７９】
第１領域Ｒ１の幅方向Ｗの収縮力は、第２領域Ｒ２の幅方向の収縮力よりも低くてよい。装着状態では、図２等に示す伸張状態と比較して第１領域Ｒ１及び第２領域Ｒ２が幅方向Ｗに収縮し、第１領域Ｒ１が第２領域Ｒ２側に引っ張られる。第１領域Ｒ１に形成される皺が第２領域Ｒ２と比較して少なくなり、第１領域Ｒ１と肌の接着面積が増える。よって、吸水シート７０が肌に密着し、汗等の体液の吸収性を向上できる。
【００８０】
また、後胴回り域Ｓ２の幅方向Ｗの収縮力は前胴回り域Ｓ１の幅方向の収縮力よりも低くてよい。装着状態において、後胴回り域Ｓ２が前胴回り域Ｓ１側に引っ張られる。後胴回り域Ｓ２に形成される皺が少なくなり、後胴回り域Ｓ２が肌に密着し易くなる。よって、吸水シート７０が肌に密着し、吸収性を向上できる。
【００８１】
なお、本発明における装着状態は、サイド接合部６０を介して前胴回り域Ｓ１と後胴回り域Ｓ２が幅方向Ｗに連続した使い捨ておむつを、伸張状態に対して７７％となるように筒体１００に装着した状態とする。図９は、伸張状態に対して７７％となるように筒体１００に装着した状態を模式的に示した図である。図９は、筒体１００の中心軸の延長線上から視認した使い捨ておむつ及び筒体を視認した状態である。伸張状態に対して７７％となるように筒体１００に装着した状態は、次の状態である。前胴回り域Ｓ１と後胴回り域Ｓ２の皺がなくなるように前胴回り域Ｓ１と後胴回り域Ｓ２を幅方向Ｗに伸張させ、前胴回り域Ｓ１のサイド接合部６０間の長さ（左側のサイド接合部の内側縁と右側のサイド接合部の内側縁との長さ）Ｌ３１（図２参照）と、後胴回り域Ｓ２のサイド接合部６０間の長さＬ３２と、を測定する。前胴回り域Ｓ１のサイド接合部６０間の長さＬ３１と、後胴回り域Ｓ２のサイド接合部６０間の長さＬ３２と、の合計を筒体１００に装着した使い捨ておむつ１０の伸張状態における長さとする。次いで、この伸張状態の長さに対して７７％の長さの外周長を有する筒体１００に、使い捨ておむつ１０を装着する。この状態を、伸張状態に対して７７％となるように筒体１００に装着した状態とする。なお、筒体１００の長手方向Ｌの長さは、少なくともサイド接合部６０の長手方向の長さ以上有する。また、筒体１００の表面素材は、シリコンPETセパレーター(ニッパ株式会社、PET38*1-B、C70905-13)を用いることができ、その摩擦係数は、１μｓ未満であってよい。なお、摩擦係数は、静摩擦係数であり、ポータブル摩擦計ミューズ（HEIDON、日進機械株式会社)を用いて、測定素子を筒体の表面に当てることによって測定できる。５〜１０カ所にて測定し、その平均値を摩擦係数とする。
【００８２】
伸張状態に対して７７％となるように筒体に装着した状態において、前胴回り域Ｓ１のサイド接合部６０間の長さＬ４１（図９参照）は、後胴回り域Ｓ２のサイド接合部６０間の長さＬ４２よりも短くてよい。使い捨ておむつを設計する際に、伸張状態の幅方向の長さに対して７７％の胴回り寸法は、装着状態における着用者の胴回り寸法に含まれるものと仮定して設計する。装着状態における前胴回り域Ｓ１のサイド接合部６０間の長さＬ４１に対する後胴回り域Ｓ２のサイド接合部６０間の長さＬ４２の比率は、伸張状態における前胴回り域Ｓ１のサイド接合部６０間の長さＬ３１に対する後胴回り域Ｓ２のサイド接合部６０間の長さＬ３２の比率よりも高い。
【００８３】
本実施の形態では、伸張状態における前胴回り域Ｓ１のサイド接合部６０間の長さＬ３１と、伸張状態における後胴回り域Ｓ２のサイド接合部６０間の長さＬ３２と、は、図２に示すように同じである。よって、伸張状態における前胴回り域Ｓ１のサイド接合部６０間の長さに対す後胴回り域Ｓ２のサイド接合部６０間の長さの比率は、１．０である。また、図９に示すように、装着状態においてサイド接合部６０が前胴回り域Ｓ１側に偏倚している。装着状態における後胴回り域Ｓ２のサイド接合部６０間の長さＬ４２は、装着状態における前胴回り域Ｓ１のサイド接合部６０間の長さＬ４１よりも長い。よって、装着状態における前胴回り域Ｓ１のサイド接合部６０間の長さＬ４１に対する後胴回り域Ｓ２のサイド接合部６０間の長さＬ４２の比率は、１．０よりも大きい。このように、装着状態においてサイド接合部６０が前胴回り域Ｓ１側に偏倚しているため、後胴回り域Ｓ２は、前胴回り域Ｓ１よりも皺が少なく、肌に密着し易い。よって、吸水シート７０が肌に密着し、汗等の体液の吸収性を向上できる。また、伸張状態に対して７７％となるように筒体に装着した状態において、吸水シート７０の延出部７５が前胴回り域Ｓ１側に偏倚している。よって、装着状態において延出部７５が身体の前側から視認され易くなる。
【００８４】
吸水シート７０が配置された領域の幅方向の収縮力は、その長手方向の外側に位置する領域の収縮力よりも高くてよい。図４に示すように、吸水シート７０の長手方向Ｌの外端縁７０２から長手方向Ｌの外側に延びる領域を外側領域Ｒ４とし、吸水シート７０の長手方向Ｌの内端縁７０１から長手方向Ｌの内側に延びる内側領域Ｒ３とする。吸水シート７０が配置された領域の幅方向の収縮力は、外側領域Ｒ４と内側領域Ｒ３の少なくとも一方の幅方向Ｗの収縮力よりも高くてよい。なお、吸水シート７０が配置された領域とは、厚さ方向の平面視にて吸水シート７０と重なる領域である。吸水シート７０が配置された領域の収縮力が外側領域Ｒ４の収縮力又は内側領域Ｒ３の収縮力よりも高いため、吸水シート７０が配置された領域が着用者の肌から浮かずに体にフィットし易い。好ましくは、吸水シート７０が配置された領域の幅方向Ｗの収縮力は、外側領域Ｒ４の幅方向Ｗの収縮力よりも高くてよい。吸水シート７０が配置された領域が外側領域Ｒ４よりも体にフィットし、吸水シート７０が外側領域Ｒ４側において肌から浮き上がり難くなり、吸水シートによって吸収した体液が胴回り開口部６２から漏れることを抑制できる。より好ましくは、吸水シートが配置された領域の幅方向の収縮力は、外側領域Ｒ４の幅方向の収縮力及び内側領域Ｒ３の幅方向の収縮力よりも高くてよい。吸水シートがより体にフィットし易い。吸水シートがすることにより、効率よく体液を吸収し、吸収性を向上できる。
【００８５】
厚さ方向の平面視にて、テープ部材８０は、吸水シート７０の少なくとも一部に重なって配置されてよい。吸水シート７０は、テープ部材と重なる領域においてテープ部材によって剛性が高くなる。よって、吸水シート７０に皺が発生し難くなり、吸水シート７０が肌により密着し易くなる。
【００８６】
図３に示すように、長手方向Ｌにおいて、テープ部材８０の内端縁８０１は、吸水シート７０の長手方向Ｌの中心よりも内側に配置されてよい。吸水シート７０は、汗を吸収し易い領域に配置されることが好ましく、着用者の臀裂から背中に跨って配置されることが好ましい。テープ部材８０は、吸水シート７０の長手方向Ｌの中心よりも内側に位置し、着用者の臀裂に対応する位置に配置され易い。より好適には、長手方向において、テープ部材８０の内端縁８０１は、吸水シート７０の内端縁７０１よりも内側に配置されてよい。テープ部材８０は、着用者の臀裂に対応する位置により配置され易い。よって、テープ部材８０と重なった吸水シート７０が、臀裂の窪みにフィットし、吸収性を向上できる。
【００８７】
厚さ方向の平面視にて、テープ部材８０は、後胴回り域Ｓ２の幅方向の中心に重なってよい。テープ部材８０は、後胴回り域Ｓ２の幅方向の中心に重なっており、装着時に着用者に臀裂の窪みに入り込み易い。より好適には、テープ部材８０は、後胴回り域Ｓ２の幅方向Ｗの中心を跨って配置されてよい。テープ部材８０は、臀裂の幅方向の中心から左右に延びる一定範囲において臀裂の窪みに入り込み易くなる。テープ部材８０と重なる吸水シート７０がより肌に密着し、吸収性をより向上できる。
【００８８】
厚さ方向の平面視にて、吸水シート７０の少なくとも一部は、吸収コア４５の肌対向面側において、吸収コア４５の長手方向の外端縁に重なってよい。より詳細には、吸水シート７０と吸収コア４５は、長手方向Ｌにおいて吸水シートの内端縁から吸収コアの外端縁までの領域で重なり、幅方向Ｗにおいて、吸収コア４５の外側縁よりも内側の領域で重なってよい。吸収コア４５は、体液を吸収する吸収材料が積層されており、一般的に吸収コアの厚さは、バックシート等の他のおむつの構成部材の厚さよりも厚い。吸水シート７０は、吸収コアの長手方向の外端縁に重なっており、吸収コアの厚さによって着用者側に近づいて配置される。よって、吸水シートが着用者に密着し、吸収性を向上できる。また、吸収コアの外端縁は、一般的に、着用者の臀裂近傍に重なるように設けられている。吸水シートは、吸収コアの外端縁に重なっており、臀裂に入り込んで配置される。よって、吸収性をより向上できる。
【００８９】
また、変形例において、吸水シート７０は、長手方向Ｌにおいて吸収コア４５と離間していてもよい。吸収コア４５と吸水シート７０が長手方向において離間している、すなわち吸収コア４５と吸水シート７０が厚さ方向の平面視にて重なっていないことにより、吸収コア４５によって吸収した体液が吸水シート７０側に伝わり難くなる。よって、吸水シート７０からの体液の漏れをより抑制できる。
【００９０】
後胴回り域Ｓ２の外端縁と吸収性本体４０の外端縁との長さＬ１２が、前胴回り域Ｓ１の外端縁と吸収性本体４０の外端縁との長さＬ１１よりも長くてよい。吸収性本体４０は、股下域Ｓ３に配置されており、着用時に脚によって挟まれ、幅方向Ｗに圧縮され易い。吸収性本体４０が、長手方向Ｌにおいて後胴回り域Ｓ２より前胴回り域Ｓ１側に偏倚して配置されている。よって、後胴回り域Ｓ２は、吸収性本体４０が圧縮されることによる影響を受け難い。後胴回り域Ｓ２に配置された吸水シート７０が肌に密着した状態を維持し易い。
【００９１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００９２】
なお、２０１７年１１月１０日に出願された日本国特許出願第２０１７−２１７７９２号の全内容が、参照により、本明細書に組み込まれる。
【産業上の利用可能性】
【００９３】
本発明によれば、着用者の肌に吸水シートが密着し、吸収性を向上できる使い捨ておむつが望まれる。
【符号の説明】
【００９４】
１０    使い捨ておむつ
２０    前胴回り部材
３０    後胴回り部材
３５    第１外装不織布シート（不織布シート）
３６    第２外装不織布シート（不織布シート）
４０    吸収性本体
４５    吸収コア
４６    レッグフラップ
４９    有効長
５０    バックシート
５１    第１バックシート
５２    第２バックシート
６０    サイド接合部
７０    吸水シート
７１    パルプシート
７２    吸水不織布シート（不織布シート）
７５    延出部
８０    テープ部材
Ｓ１    前胴回り域
Ｓ２    後胴回り域
Ｓ３    股下域
Ｌ      長手方向
Ｗ      幅方向
Ｔ１    肌対向面側
Ｔ２    非肌対向面側
【図１】
2019093509.tif 000004
【図２】
2019093509.tif 000005
【図３】
2019093509.tif 000006
【図４】
2019093509.tif 000007
【図５】
2019093509.tif 000008
【図６】
2019093509.tif 000009
【図７】
2019093509.tif 000010
【図８】
2019093509.tif 000011
【図９】
2019093509.tif 000012
【国際調査報告】
2019093509.tif 000013
2019093509.tif 000014
2019093509.tif 000015
2019093509.tif 000016